(57)【要約】【課題】  複数人数で作業性よく安全に作業を行うことができる脚立を提供することを目的としている。【解決手段】  頭部体２の側部側に左側に回動可能に上部を支持して設けられた左梯子３と、頭部体３の側部側に右側に回動可能に上部を支持して設けられた右梯子４と、頭部体２の前側に回動可能に上部を支持して設けられた棒体５ａと、この棒体５ａに適宜な上下間隔をあけて設けられた棒体側足載せバー支持部６ａ〜６ｅと、左梯子３の棒部７ａに設けられた梯子側足載せバー支持部８ａ〜８ｅと、右梯子４の棒部９ａに設けられた梯子側足載せバー支持部１０ａ〜１０ｅと、梯子側足載せバー支持部８ａ〜８ｅと梯子側足載せバー支持部１０ａ〜１０ｅに保持されて梯子を形成する足載せバー１１ａ〜１１ｅ、１２ａ〜１２ｅと、とからなっている。【選択図】図２
2008133704.tif 000002
【特許請求の範囲】
【請求項１】
頭部体と、
この頭部体の側部側に左側に回動可能に上部を支持して設けられた左梯子と、
前記頭部体の側部側に右側に回動可能に上部を支持して設けられた右梯子と、
前記頭部体の前側に回動可能に上部を支持して設けられた前棒体と、
この前棒体に適宜な上下間隔をあけて設けられた棒体側足載せバー支持部ａ、ｂ〜ｎと、
前記左梯子の棒部および前記右梯子の棒部に設けられたあるいはいずれか一方の棒部に設けられた梯子側足載せバー支持部ａ、ｂ〜ｎと、
前記棒体側足載せバー支持部ａ、ｂ〜ｎと前記梯子側足載せバー支持部ａ、ｂ〜ｎに保持されて梯子を形成する足載せバーａ、ｂ〜ｎと、とからなることを特徴とする脚立。
【請求項２】
頭部体と、
この頭部体の側部側に左側に回動可能に上部を支持して設けられた左梯子と、
前記頭部体の側部側に右側に回動可能に上部を支持して設けられた右梯子と、
前記頭部体の前側に回動可能に上部を支持して設けられた前棒体と、
前記頭部体の後側に回動可能に上部を支持して設けられた後棒体と、
この前棒体および前記後棒体に適宜な上下間隔をあけて設けられた棒体側足載せバー支持部ａ、ｂ〜ｎと、
前記左梯子の前後の棒部および前記右梯子の前後の棒部に設けられた梯子側足載せバー支持部ａ、ｂ〜ｎと、
前記棒体側足載せバー支持部ａ、ｂ〜ｎと前記梯子側足載せバー支持部ａ、ｂ〜ｎに保持されて梯子を形成する足載せバーａ、ｂ〜ｎと、とからなることを特徴とする脚立。
【請求項３】
左梯子の棒部および右梯子の棒部に設けられたあるいはいずれか一方の棒部の梯子側足載せバー支持部ａ、ｂ〜ｎの設け面とは違う面に設けられた足載せバーａ、ｂ〜ｎの足載せ部位を下方から支持する梯子側足載せ部位支持突起ａ、ｂ〜ｎを設け、前棒体の棒体側足載せバー支持部ａ、ｂ〜ｎの設け面とは違う面に設けられた前棒体側足載せ部位支持突起ａ、ｂ〜ｎを設けてなることを特徴とする請求項１、２いずれか記載の脚立。
【発明の詳細な説明】
【技術分野】
【０００１】  本発明は脚立に関する。
【背景技術】
【０００２】  従来、頭部体と、この頭部体の側部側に左側に回動可能に上部を支持して設けられた左梯子と、前記頭部体の側部側に右側に回動可能に上部を支持して設けられた右梯子と、前記頭部体の前側に回動可能に上部を支持して設けられた前棒体とからなる前側に倒れ難くしてなる脚立（例えば特許文献１）が知られている。【０００３】  本願発明に先立って特許電子図書館で先行技術調査をおこない下記特許文献１を発見した。
検索式  脚立×倒（平成５年以後）
ヒット件数  特許：４３件    実案：３８件
【特許文献１】  特開２００２−１９４９８１号公報
【非特許文献】  特に無し
【発明の開示】
【発明が解決しようとする課題】
【０００４】  前述した従来技術は、３人以上での作業を作業性よく安全に行うことがし難いという欠点を有するものであった。【０００５】  本発明は以上のような従来技術の欠点に鑑み、３人以上の人数で作業を作業性よく且つ安全に行うことができる脚立を提供することを目的としている。
【課題を解決するための手段】
【０００６】  上記目的を達成するために本発明は次に述べるような構成となっている。
（請求項１記載の発明）
頭部体と、この頭部体の側部側に左側に回動可能に上部を支持して設けられた左梯子と、前記頭部体の側部側に右側に回動可能に上部を支持して設けられた右梯子と、前記頭部体の前側に回動可能に上部を支持して設けられた前棒体と、この前棒体に適宜な上下間隔をあけて設けられた棒体側足載せバー支持部ａ、ｂ〜ｎと、前記左梯子の棒部および前記右梯子の棒部に設けられたあるいはいずれか一方の棒部に設けられた梯子側足載せバー支持部ａ、ｂ〜ｎと、前記棒体側足載せバー支持部ａ、ｂ〜ｎと前記梯子側足載せバー支持部ａ、ｂ〜ｎに保持されて梯子を形成する足載せバーａ、ｂ〜ｎと、とからなることを特徴とする脚立を構成している。
（請求項２記載の発明）
頭部体と、この頭部体の側部側に左側に回動可能に上部を支持して設けられた左梯子と、前記頭部体の側部側に右側に回動可能に上部を支持して設けられた右梯子と、前記頭部体の前側に回動可能に上部を支持して設けられた前棒体と、前記頭部体の後側に回動可能に上部を支持して設けられた後棒体と、この前棒体および前記後棒体に適宜な上下間隔をあけて設けられた棒体側足載せバー支持部ａ、ｂ〜ｎと、前記左梯子の前後の棒部および前記右梯子の前後の棒部に設けられた梯子側足載せバー支持部ａ、ｂ〜ｎと、前記棒体側足載せバー支持部ａ、ｂ〜ｎと前記梯子側足載せバー支持部ａ、ｂ〜ｎに保持されて梯子を形成する足載せバーａ、ｂ〜ｎと、とで脚立を構成している。
（請求項３記載の発明）
請求項１、２いずれか記載の発明の構成において、左梯子の棒部および右梯子の棒部に設けられたあるいはいずれか一方の棒部の梯子側足載せバー支持部ａ、ｂ〜ｎの設け面とは違う面に設けられた足載せバーａ、ｂ〜ｎの足載せ部位を下方から支持する梯子側足載せ部位支持突起ａ、ｂ〜ｎを設け、前棒体の棒体側足載せバー支持部ａ、ｂ〜ｎの設け面とは違う面に設けられた前棒体側足載せ部位支持突起ａ、ｂ〜ｎを設けてなる脚立を構成している。
【発明の効果】
【０００７】（請求項１記載の発明の効果）
前記（１）の本発明にあっては、左右梯子に加えて棒体側足載せバー支持部ａ、ｂ〜ｎと梯子側足載せバー支持部ａ、ｂ〜ｎに足載せバーａ、ｂ〜ｎをセットすることにより前方梯子を形成できるので、前棒体で脚立が倒れないように支持するとともに、作業性がよく且つ安全性のよい作業が行えるという効果を奏する。
また、左右梯子からも登り補助作業などが行えるので、２〜３人による共同作業が行え、例えば重量物の支え、部品や工具のわたしなど作業性と安全性を格段に良くするという効果を得ることができる。
（請求項２記載の発明の効果）
前記（）の発明にあっては、左右梯子に加えて棒体側足載せバー支持部ａ、ｂ〜ｎと梯子側足載せバー支持部ａ、ｂ〜ｎに足載せバーａ、ｂ〜ｎをセットすることにより前方梯子および後方梯子を形成できるので、脚立が倒れないように支持するとともに、２〜４人による共同作業がなどが行え、例えば重量物の支え、部品や工具のわたしなど作業性と安全性を格段に良くするという効果を得ることができる。
（請求項３記載の発明の効果）
請求項１、２いずれか記載の発明の効果に加えて、足載せバーの足載せ部位を下から支持する足載せ部位支持突起を足載せバー支持部とは違う面に設けているので、荷重の殆どを足載せ部位支持突起で受ける構造とでき足載せバー支持部へ過度な荷重が掛らないようにできるとともに、足載せ部位支持突起と足載せバー支持部との二点支持により足載せバーの安定性安全性を確保するという効果を奏する。
【発明を実施するための最良の形態】
【０００８】  以下、図面に示す本発明を実施するための最良の形態を説明する。但し本発明をそれらのみに限定するものではない。また、説明にあたって前述し実施の形態と同じ構成については同じ符号を付しその説明を省略する。【０００９】  図１ないし図４に示す本発明を実施するための最良の第１の実施の形態において１は脚立であって、
脚立１は、
頭部体２と、
この頭部体２の側部側に左側に回動可能に上部を支持して設けられた左梯子３と、
頭部体３の側部側に右側に回動可能に上部を支持して設けられた右梯子４と、頭部体２の前側に回動可能に上部を支持して設けられた棒体５ａと、
この棒体５ａに適宜な上下間隔をあけて設けられた棒体側足載せバー支持部６ａ〜６ｅと、
左梯子３の棒部７ａに設けられた梯子側足載せバー支持部８ａ〜８ｅと、
右梯子４の棒部９ａに設けられた梯子側足載せバー支持部１０ａ〜１０ｅと、
梯子側足載せバー支持部８ａ〜８ｅと梯子側足載せバー支持部１０ａ〜１０ｅに保持されて梯子を形成する足載せバー１１ａ〜１１ｅ、１２ａ〜１２ｅと、
左梯子の棒部７ａ、右梯子の棒部９ａおよび棒体５ａの棒体側足載せバー支持部６ａ〜６ｅ、梯子側足載せバー支持部８ａ〜８ｅおよび梯子側足載せバー支持部１０ａ〜１０ｅの設け面とは違う面に設けられた足載せバー１１ａ〜１１ｅ、１２ａ〜１２ｅの足載せ部位１８を下方から支持する、対応する部位箇所に設けらた足載せ部位支持突起１３と、とからなっている。
足載せバーと脚立側には対応する符号を表示しておくのがよい。
２４ａ〜２４ｅは足載せバー。【００１０】  図４において、足載せバー１１ａ〜１１ｅ、１２ａ〜１２ｅは、
立板形態で左右に設けられた保持板部１６、１６と、この保持板部１６、１６に空けられた孔からなるバー支持突起６ａ〜６ｅ、梯子側足載せバー支持部８ａ〜８ｅ、梯子側足載せバー支持部１０ａ〜１０ｅのいずれかが嵌り支持される脚立側バー支持部１７、１７と、
保持板部１６、１６の間に設けられた上部を足載せ部位１８としてなる逆Ｌ字形態のバー本体１９と、とからなっている。
図４では足載せバー１２ｃを図示しているが、他の足載せバーはそれぞれがセット箇所に対応した長さとなっている。【００１１】  図５に示す本発明を実施するための最良の第２の実施の形態において前記第１の実施の形態と主に異なる点は、左右の足載せバーを一体化した構成の足載せバー２２ａ〜２２ｅとした点にある。
図５では足載せバー２２ｃを図示しているが、他の足載せバーはそれぞれがセット箇所に対応した長さとなっている。【００１２】  図６に示す本発明を実施するための最良の第３の実施の形態において前記第１の実施の形態と主に異なる点は、棒体５ａと同じ形態の棒体５ｂを反対側（後ろ側）に設け、棒体５ｂに棒体側足載せバー支持部６ａ〜６ｅを設け、左梯子３の棒部７ｂに梯子側足載せバー支持部８ａ〜８ｅを設け、右梯子４の棒部９ｂに梯子側足載せバー支持部１０ａ〜１０ｅを設けてなる脚立３０を形成した点にある。
一方側の棒体を一対にするのもよい。このような形態では足載せバーはこの一対の棒体の間にセットして梯子を形成すればよいので、足載せバーは略半分の数にできる。
【産業上の利用可能性】
【００１３】  本発明は脚立を製造する産業で利用される。
【図面の簡単な説明】
【００１４】
【図１】本発明を実施するための最良の第１の実施の形態の畳んだ状態の正面図および側面図。
【図２】本発明を実施するための最良の第１の実施の形態の広げ立て左右に足載せバーをセットした正面図および側面図。
【図３】本発明を実施するための最良の第１の実施の形態の広げ立て足載せバーを全部にセットした正面図および側面図。
【図４】本発明を実施するための最良の第１の実施の形態の足載せバーの平面図、正面図、底面図、右側面図、背面図および脚立にセットした状態を示す部分平面図。
【図５】本発明を実施するための最良の第２の実施の形態の足載せバーの脚立にセットした状態を示す部分平面図。
【図６】本発明を実施するための最良の第３の実施の形態の広げ立て足載せバーを全部にセットした右側面図で左側面図は右側面図と同じに現れる。
【符号の説明】
【００１５】１：脚立、                          ２：頭部体、
３ａ、３ｂ：左梯子、                ４ａ、４ｂ：右梯子、
５ａ、５ｂ：棒体、                  ６ａ〜６ｅ：棒体側足載せバー支持部、
７ａ、７ｂ：棒部、                  ８ａ〜８ｅ：梯子側足載せバー支持部、
９ａ、９ｂ：棒部、                  １０ａ〜１０ｅ：梯子側足載せバー支持部、
１１ａ〜１１ｅ：足載せバー、        １２ａ〜１２ｅ：足載せバー、
１３：足載せ部位支持突起、          １６：保持板部
１７：脚立側バー支持部棒、          １８：足載せ部位、
１９：バー本体、                    ２２ａ〜２２ｅ：足載せバー、
２４ａ〜２４ｅ：足載せバー、        ３０：脚立。
【図１】
2008133704.tif 000003
【図２】
2008133704.tif 000004
【図３】
2008133704.tif 000005
【図４】
2008133704.tif 000006
【図５】
2008133704.tif 000007
【図６】
2008133704.tif 000008